(57)【要約】【課題】アームノズルが食器の出し入れの邪魔になることはなく、使用者が食器を円滑に出し入れすることができる食器洗浄機を提供する。【解決手段】食器を出し入れするための開口部１ａを正面側に有する洗浄槽１と、洗浄槽１内側の上部に配されており、洗浄槽１に給水された洗浄水を食器に対して噴射する回転可能なアームノズル４１，４２とを備える食器洗浄機に、アームノズル４１，４２の長手方向が洗浄槽１の前後方向を向くように、アームノズル４１，４２を回動させるアクチュエータを備える。【選択図】図１
2007252733.tif 000002
【特許請求の範囲】
【請求項１】
食器を出し入れするための開口部を正面側に有する洗浄槽と、該洗浄槽に給水された洗浄水を食器に対して噴射すると共に、洗浄水の噴射による反力で回転するアームノズルとを備える食器洗浄機において、
前記アームノズルの長手方向が前記洗浄槽の前後方向を向くように、前記アームノズルを回動させるアクチュエータを備える
ことを特徴とする食器洗浄機。
【請求項２】
食器を出し入れするための開口部を正面側及び上面側の間にわたって有する洗浄槽と、該洗浄槽内側の上部に配されていて、前記洗浄槽に給水された洗浄水を食器に対して噴射すると共に、洗浄水の噴射による反力で回転するアームノズルとを備える食器洗浄機において、
前記アームノズルの長手方向が前記洗浄槽の横方向を向くように、前記アームノズルを回動させるアクチュエータを備える
ことを特徴とする食器洗浄機。
【請求項３】
前記アクチュエータは、
前記アームノズルによる洗浄水の噴射を終えた場合、前記アームノズルを回動させるようにしてある
ことを特徴とする請求項１又は請求項２に記載の食器洗浄機。
【請求項４】
前記開口部を閉塞する扉体と、
該扉体の開閉を検出する検出手段と
を備え、
前記アクチュエータは、
前記検出手段が前記扉体の開状態を検出した場合、前記アームノズルを回動させるようにしてある
ことを特徴とする請求項１乃至請求項３のいずれか一つに記載の食器洗浄機。
【発明の詳細な説明】
【技術分野】
【０００１】
本発明は、食器を出し入れするための開口部を有する洗浄槽、及び該洗浄槽に給水された洗浄水を食器に対して噴射する回転可能なアームノズルを備える食器洗浄機に関する。
【背景技術】
【０００２】
食器洗浄機は、食器を出し入れするための開口部を正面側に有する中空略直方体の洗浄槽を備えており、洗浄槽内側の底部及び上部には、洗浄槽に給水された洗浄水を食器に対して噴射する回転可能なアームノズルが配されている。該アームノズルは、洗浄水の噴射による反力で回転するように構成されている。底部に配されたアームノズルの上側には、食器を載せる食器かごが支持レールにて支持されている。また、食器洗浄機は、アームノズルに分配弁を介して加圧水を供給する洗浄ポンプ、洗浄水を加熱するヒータ等を備えている（例えば、特許文献１）。
【０００３】
このように構成された食器洗浄機においては、食器の上側及び下側から洗浄水を噴射することができ、底部のみにアームノズルを配した食器洗浄機に比べ、より効果的に食器を洗浄することができる。
【特許文献１】特開２００３−３３９６０７号公報
【特許文献２】特開２００３−３３９６０８号公報
【特許文献３】特開２００３−３３９６０９号公報
【特許文献４】特開２０００−１８９３７４号公報
【特許文献５】特開２００１−２１８７２１号公報
【特許文献６】特開２００２−６５５７１号公報
【特許文献７】特開２００２−２０９８２７号公報
【特許文献８】特開２００２−２１９０８８号公報
【発明の開示】
【発明が解決しようとする課題】
【０００４】
しかしながら、特許文献１に係る食器洗浄機においては、アームノズルの向きを制御することができないため、洗浄を終えたときのアームノズルの向きによっては、アームノズルが食器の出し入れの邪魔になる場合があった。
【０００５】
本発明は、斯かる事情に鑑みてなされたものであり、アームノズルの長手方向が洗浄槽の前後方向を向くように、アームノズルを回動させるアクチュエータを備えることにより、アームノズルが食器の出し入れの邪魔にならず、使用者が食器を円滑に出し入れすることができる食器洗浄機を提供することを目的とする。
【０００６】
本発明の他の目的は、開口部を正面側及び上面側の間にわたって有する洗浄槽内の上部にアームノズルが配されている場合、アームノズルの長手方向が洗浄槽の横方向を向くように、アームノズルを回動させるアクチュエータを備えることにより、上面側の開口部から露出したアームノズルが食器の出し入れの邪魔にならず、使用者が食器を円滑に出し入れすることができる食器洗浄機を提供することにある。
【０００７】
本発明の他の目的は、アームノズルによる洗浄水の噴射を終えた場合、アームノズルを回動させるように構成することにより、洗浄を終えた場合、使用者が食器を円滑に出し入れすることができる食器洗浄機を提供することにある。
【０００８】
本発明の他の目的は、開口部を閉塞する扉体の開閉を検出する検出手段を備え、該検出手段が扉体の開状態を検出した場合、アームノズルを回動させるように構成することにより、扉体を開いた場合、使用者が食器を円滑に出し入れすることができる食器洗浄機を提供することにある。
【課題を解決するための手段】
【０００９】
本発明に係る食器洗浄機は、食器を出し入れするための開口部を正面側に有する洗浄槽と、該洗浄槽に給水された洗浄水を食器に対して噴射すると共に、洗浄水の噴射による反力で回転するアームノズルとを備える食器洗浄機において、前記アームノズルの長手方向が前記洗浄槽の前後方向を向くように、前記アームノズルを回動させるアクチュエータを備えることを特徴とする。
【００１０】
本発明にあっては、アクチュエータによって、アームノズルが回動し、該アームノズルの長手方向が洗浄槽の前後方向に一致する。つまり、アームノズルの長手方向が、洗浄槽の開口方向に一致する。
食器を出し入れする場合、食器を洗浄槽の開口方向へ移動させるが、アームノズルの長手方向は、開口方向に一致しているため、アームノズルが他の方向を向いている場合に比べ、食器がアームノズルに当たる虞は低い。
【００１１】
本発明に係る食器洗浄機は、食器を出し入れするための開口部を正面側及び上面側の間にわたって有する洗浄槽と、該洗浄槽内側の上部に配されていて、前記洗浄槽に給水された洗浄水を食器に対して噴射すると共に、洗浄水の噴射による反力で回転するアームノズルとを備える食器洗浄機において、前記アームノズルの長手方向が前記洗浄槽の横方向を向くように、前記アームノズルを回動させるアクチュエータを備えることを特徴とする。
【００１２】
本発明にあっては、アクチュエータによって、アームが回動し、該アームノズルの長手方向が洗浄槽の横方向に一致する。洗浄槽は、正面側及び上面側の間にわたって開口部を有しているが、アームノズルの長手方向は、洗浄槽の横方向に一致するため、アームノズルが他の方向を向いている場合に比べ、アームノズルの一部が上面側の開口部から露出する虞は低く、食器がアームノズルに当たる虞も低い。
【００１３】
本発明に係る食器洗浄機は、前記アクチュエータは、前記アームノズルによる洗浄水の噴射を終えた場合、前記アームノズルを回動させるようにしてあることを特徴とする。
【００１４】
本発明にあっては、アームノズルによる洗浄水の噴射を終えた場合、アクチュエータは、アームノズルを回動させる。従って、洗浄を終えて、使用者が食器を洗浄槽から取り出す際に、食器がアームノズルに当たることを防ぐことができる。
【００１５】
本発明に係る食器洗浄機は、前記開口部を閉塞する扉体と、該扉体の開閉を検出する検出手段とを備え、前記アクチュエータは、前記検出手段が前記扉体の開状態を検出した場合、前記アームノズルを回動させるようにしてあることを特徴とする。
【００１６】
本発明にあっては、検出手段が扉体の開状態を検出した場合、アクチュエータは、アームノズルを回動させる。従って、使用者が扉体を開き、食器を洗浄槽から出し入れする際に、食器がアームノズルに当たることを防ぐことができる。
【発明の効果】
【００１７】
本発明によれば、アームノズルが食器の出し入れの邪魔になることはなく、使用者は食器を円滑に出し入れすることができる。
【００１８】
本発明によれば、開口部から露出したアームノズルが食器の出し入れの邪魔になることはなく、使用者は食器を円滑に出し入れすることができる。
【００１９】
本発明によれば、洗浄を終えた場合、使用者は食器を円滑に出し入れすることができる。
【００２０】
本発明によれば、扉体を開いた場合、使用者は食器を円滑に出し入れすることができる。
【発明を実施するための最良の形態】
【００２１】
以下、本発明をその実施の形態を示す図面に基づいて詳述する。
（実施の形態１）
図１は、本発明の実施の形態１に係る食器洗浄機の略示斜視図、図２は、食器洗浄機の略示側断面図である。
【００２２】
図中１は、キャビネット２０に覆われた中空略直方体の洗浄槽である。洗浄槽１は、正面側に食器を収容するための開口部１ａを形成しており、開口部１ａは、上下に開閉可能な２枚の扉体２１ａ，２１ｂによって閉塞されるように構成されている。
【００２３】
洗浄槽１は、図２に示すように、底板部１０を有している。底板部１０の周縁部分には、両側壁１１、背面壁１２、及び正面壁１３が底板部１０に対して略垂直に形成されており、両側壁１１及び背面壁１２の上端部分には天板部１４が形成されている。底板部１０は、正面壁１３と共に正面側に洗浄水を貯留する貯留槽を形成している。底板部１０の前後方向略中央部には、横方向に２つのアームノズル４０，４０が並設されている。
【００２４】
洗浄槽１の両側壁１１には、図示しない支持レールが形成されており、支持レールは、食器を載せる食器かご３を前後方向へ移動可能に支持している。
また、側壁１１には、洗浄水に浸水して洗浄水を加熱するヒータ９０が突設されている。
【００２５】
天板部１４の前後方向略中央部には、横方向にアームノズル４１，４２が並設されている。
【００２６】
洗浄槽１の底板部１０とキャビネット２０との間隙には、洗浄ポンプ５０が配設されている。洗浄ポンプ５０は、インペラ、及びインペラを収容するポンプケーシングを備えており、インペラにはモータの出力軸が接続されている。ポンプケーシングは貯留槽に連通する吸込口、及び吐出口を有している。
【００２７】
ポンプの上側には、分水機構５１が配設されており、分水機構５１は、ポンプの吐出口が接続され、ポンプで加圧された洗浄水が流入する流入口及び複数の流出口を有するケーシングと、該ケーシング内に回転可能に設けた弁体とを備えており、該弁体の回転によって、洗浄水の流出先が順に切り換えられるように構成されている。分水機構５１の流出口には、管状の噴射ホース５２を介して各アームノズル４０，４０，４１，４２が接続されている。
【００２８】
図３は、横方向からみたアームノズル４１の一部破断側断面図である。
天板部１４には、円形の孔部１４ａが形成されており、噴射ホース５２の端部が孔部１４ａから突出している。噴射ホース５２と孔部１４ａとの間は、シール部材５３にてシールされている。
【００２９】
孔部１４ａから突出した噴射ホース５２の外周には、雄ねじが形成されており、該雄ねじには、アームノズル４１を回動自在に支持すると共に、アームノズル４１へ洗浄水を供給する支持筒４１ａが螺合している。
アームノズル４１は、支持筒４１ａに対して回動自在に外嵌する筒状の基部４１ｂと、基部４１ｂから径方向へ延設されている中空の腕部４１ｃから構成されている。腕部４１ｃには、洗浄水を下方へ噴射するための複数の噴射口４１ｄが形成されている。噴射口４１ｄは、噴射された洗浄水の反力によって、アームノズル４１が回転力を受ける方向へ洗浄水を噴射するように構成されている。例えば、図３に示すようにアームノズル４１が前後方向を向いている場合、正面側の腕部４１ｃに形成された噴射口４１ｄは洗浄槽１の左下側へ洗浄水を噴射し、背面側の腕部４１ｃに形成された噴射口４１ｄは洗浄槽１の右下側へ洗浄水を噴射するように構成されている。
【００３０】
基部４１ｂの先端側には、アームノズル４１を回動自在にねじ止めするためのねじが螺合している。
基部４１ｂの根本には、円盤状のロータ８０が外嵌固定されており、回動中心に対して対向する部分の天板部１４側が夫々Ｎ極及びＳ極に磁化されている（図７参照）。
天板部１４とキャビネット２０との間には、ロータ８０に磁場を与えて、アームノズル４１を回動させる第１コイル８１及び第２コイル８２が前後方向に並設されており、第１コイル８１及び第２コイル８２は、ロータ８０と共にアクチュエータを構成している。
【００３１】
第１及び第２コイル８１，８２には、アームノズル駆動部８３が接続されており（図４参照）、アームノズル駆動部８３は、第１及び第２コイル８１，８２を通電させることで、磁場を発生させる。通電した第１コイル８１は、第１コイル８１のロータ８０側がＳ極になるような磁場を発生させ、第２コイル８２は、ロータ８０側がＮ極になるような磁場を発生させる。そして、アームノズル４１，４２は、磁力を受けたロータ８０と共に回動する。アームノズル駆動部８３による通電は、マイクロコンピュータからなる制御部７にて制御される。
アームノズル４２、及びアームノズル４２を回動させるアクチュエータは、アームノズル４１と同様の構成である。
【００３２】
図４は、制御部７の構成を示すブロック図である。
制御部７は、ＣＰＵ（中央処理装置）７０、ＲＯＭ７１、ＲＡＭ７２、時刻を計時するためのクロック７３、並びに第１及び第２入出力ポート７４，７５を備え、これらは互いに内部バス７６によって接続されている。第１入出力ポート７４には、アームノズル駆動部８３が接続されており、第２入出力ポート７５には、洗浄ポンプ５０、洗浄水を加熱するヒータ９０、送風ファン９２、キャビネット２０の正面側に設けられた操作パネル９１、扉体２１ａ，２１ｂの開閉を検出する開閉検出スイッチ（検出手段）９３等が接続されている。
【００３３】
開閉検出スイッチ９３は、例えば常開接点型のスイッチであり、扉体２１ａ，２１ｂが閉じた場合、リミットスイッチのノブが押圧されて接点が導通し、扉体２１ａ，２１ｂが開いた場合、接点が開くように構成されている。
操作パネル９１は、洗浄開始ボタン、電源ボタン等を備えている。
【００３４】
制御部７のＣＰＵ７０は、ＲＡＭ７２をワーキングエリアとして、ＲＯＭ７１に格納されたプログラムを実行することにより、洗浄ポンプ５０、ヒータ９０、送風ファン９２の駆動を制御し、食器の洗浄処理を実行する。また、制御部７は、アームノズル駆動部８３による通電を制御することで、アームノズル４１，４２を回動させる。
【００３５】
図５は、食器の洗浄及びアームノズル４１，４２の回動に係る制御部７の処理手順を示すフローチャートである。
操作パネル９１の洗浄開始ボタンが操作された場合、制御部７は、洗浄水の給水、ヒータ９０への通電、洗浄ポンプ５０の駆動を制御することで、食器を洗浄する（ステップＳ１）。
【００３６】
次いで、制御部７は、洗浄水の排水及び給水、洗浄ポンプ５０の駆動を制御することで、食器を濯ぐ（ステップＳ２）。そして、制御部７は、ヒータ９０への通電及び送風ファン９２の駆動を制御することで、食器を乾燥させる（ステップＳ３）。
【００３７】
ステップＳ３の処理を終えた場合、制御部７は、第１コイル８１及び第２コイル８２を通電させ、アームノズル４１，４２の長手方向と洗浄槽１の前後方向とが一致するように、アームノズル４１，４２を回動させ（ステップＳ４）、処理を終える。
【００３８】
図６は、洗浄を終えたときの食器洗浄機の一例を示す略示側断面図であり、図７は、アームノズル４１の動作説明図である。
洗浄を終えた場合、図６及び図７（ａ）に示すように、アームノズル４１の長手方向が、洗浄槽１の横方向を向く場合がある。アームノズル４１の長手方向が横方向に一致した場合、アームノズル４１が食器の出し入れの邪魔になる。
【００３９】
制御部７は、洗浄を終えた場合、アームノズル駆動部８３に制御信号を与えることで、第１及び第２コイル８１，８２を通電させる。第１及び第２コイル８１，８２に電流が流れた場合、図７（ｂ）に示すように、第１コイル８１のアームノズル４１側がＳ極に磁化し、第２コイル８２のアームノズル４１側がＮ極に磁化する。すると、ロータ８０のＮ極部分は、第１コイル８１方向の磁力を受け、ロータ８０のＳ極部分は、第２コイル８２方向の磁力を受ける。従って、アームノズル４１は、平面視で反時計回りに回動し、図７（ｃ）に示すように、アームノズル４１の長手方向は洗浄槽１の前後方向に一致した状態で停止する。
アームノズル４２も、アームノズル４１同様に回動し、アームノズル４２の長手方向と洗浄槽１の前後方向とが一致する。
【００４０】
このように構成された食器洗浄機にあっては、アームノズル４１，４２の長手方向を洗浄槽１の開口方向に一致させることができ、アームノズル４１，４２が食器の出し入れの邪魔になることはなく、使用者は、食器を円滑に出し入れすることができる。
【００４１】
また、洗浄を終えた場合、アームノズル４１，４２が回動して、長手方向が開口方向を向くため、使用者は、食器の洗浄後、食器を円滑に出し入れすることができる。
【００４２】
なお、実施の形態１にあっては、アームノズルを天板部及び底板部に配した食器洗浄機を説明したが、側壁にアームノズルを配し、該アームノズルの長手方向が洗浄槽の前後方向を向くように、アームノズルを回動させるように構成しても良い。
【００４３】
また、アクチュエータをロータ、第１及び第２コイルにて構成しているが、アームノズルを所定方向へ回動させることができるモータのような回動手段であれば、他の構成であっても良い。
【００４４】
更に、略楕円状のアームノズルを説明したが、アームノズルが回転軸に関して回転非対称形であれば、他の形状であっても良い。
【００４５】
更にまた、洗浄を終えた場合、アームノズルを回動させるように構成してあるが、アームノズルを回動させるタイミングは、これに限定されない。例えば、扉体の開閉ボタンを備えた場合、該開閉ボタンが操作された時にアームノズルを回動させるように構成しても良い。
【００４６】
（実施の形態２）
図８は、実施の形態２におけるアームノズル４１，４２の回動に係る制御部７の処理手順を示すフローチャートである。実施の形態２に係る食器洗浄機は、制御部７の処理手順のみが実施の形態１に係る食器洗浄機と異なるため、以下では主に上記相違点を説明する。
【００４７】
制御部７は、開閉検出スイッチ９３の状態を検出することで、扉体２１ａ，２１ｂが開状態であるか否かを判定する（ステップＳ１１）。扉体２１ａ，２１ｂが開状態であると判定した場合（ステップＳ１１：ＹＥＳ）、制御部７は、第１コイル８１及び第２コイル８２を通電させ、アームノズル４１，４２の長手方向と洗浄槽１の前後方向とが一致するように、アームノズル４１，４２を回動させる（ステップＳ１２）。
【００４８】
扉体２１ａ，２１ｂが閉状態であると判定した場合（ステップＳ１１：ＮＯ）、又はステップＳ１２の処理を終えた場合、制御部７は、アームノズル４１，４２の回動に係る処理を終える。
【００４９】
このように構成された食器洗浄機にあっては、扉体２１ａ，２１ｂが開いた場合、アームノズル４１，４２の長手方向を洗浄槽１の開口方向に一致させることができ、使用者は、食器を円滑に出し入れすることができる。
【００５０】
実施の形態２に係る食器洗浄機の他の構成、作用及び効果は、実施の形態１に係る食器洗浄機の構成、作用及び効果と同様であるため、対応する箇所には同様の符号を付してその詳細な説明を省略する。
【００５１】
（実施の形態３）
図９は、実施の形態３に係る食器洗浄機の略示斜視図、図１０は、食器洗浄機の略示側断面図である。実施の形態３に係る食器洗浄機は、洗浄槽３０１の開口部３０１ａ及び扉体３２１ａ，３２１ｂの形状、並びに第１及び第２コイル３８１，３８２（図１２参照）の配置場所のみが実施の形態１に係る食器洗浄機と異なるため、以下では主に上記相違点を説明する。
【００５２】
実施の形態２に係る洗浄槽３０１は、正面側及び上面側の間にわたる開口部３０１ａを有しており、扉体３２１ａ，３２１ｂは開口部３０１ａに倣うように形成されている。
【００５３】
アームノズル４１，４２は、実施の形態１に係るアームノズルと同様の構成であり、ロータ８０を備えている（図１２参照）。天板部３１４とキャビネット３２０との間には、アームノズル４１，４２のロータ８０に磁場を与えて、アームノズル４１を回動させるための第１コイル３８１及び第２コイル３８２が、洗浄槽３０１の横方向に並設されている。
【００５４】
図１１は、洗浄を終えたときの食器洗浄機の一例を示す略示側断面図であり、図１２は、アームノズル４１の動作説明図である。
洗浄を終えた場合、図１１及び図１２（ａ）に示すように、アームノズル４１の長手方向が、洗浄槽３０１の前後方向を向く場合がある。洗浄槽３０１は、上面側まで開口しているため、アームノズル４１の長手方向が前後方向に一致した場合、アームノズル４１が洗浄槽３０１の開口部３０１ａから露出し、食器の出し入れの邪魔になる。また、食器がアームノズル４１に引っかかり、アームノズル４１が破損する虞がある。
【００５５】
制御部７は、洗浄を終えた場合、アームノズル駆動部８３に制御信号を与えることで、第１及び第２コイル３８１，３８２を通電させる。第１及び第２コイル３８１，３８２に電流が流れた場合、図１２（ｂ）に示すように、第１コイル３８１のアームノズル４１側がＳ極に磁化し、第２コイル３８２のアームノズル４１側がＮ極に磁化する。すると、ロータ８０のＮ極部分は、第１コイル３８１方向の磁力を受け、ロータ８０のＳ極部分は、第２コイル３８２方向の磁力を受ける。従って、アームノズル４１は、平面視で反時計回りに回動し、図１２（ｃ）に示すように、アームノズル４１の長手方向は洗浄槽３０１の横方向に一致した状態で停止する。
アームノズル４２も、アームノズル４１同様に回動し、アームノズル４２の長手方向と洗浄槽３０１の横方向とが一致する。
【００５６】
このように構成された食器洗浄機にあっては、アームノズル４１，４２の長手方向を洗浄槽３０１の横方向に一致させることができ、開口部３０１ａから露出したアームノズルが食器の出し入れの邪魔になることはなく、使用者は、食器を円滑に出し入れすることができる。
【００５７】
また、アームノズル４１，４２に食器が引っかかり、アームノズル４１，４２が破損することを防ぐことができる。
【００５８】
実施の形態３に係る食器洗浄機の他の構成、作用及び効果は、実施の形態１に係る食器洗浄機の構成、作用及び効果と同様であるため、対応する箇所には同様の符号を付してその詳細な説明を省略する。
【図面の簡単な説明】
【００５９】
【図１】本発明の実施の形態１に係る食器洗浄機の略示斜視図である。
【図２】食器洗浄機の略示側断面図である。
【図３】横方向からみたアームノズルの一部破断側断面図である。
【図４】制御部の構成を示すブロック図である。
【図５】食器の洗浄及びアームノズルの回動に係る制御部の処理手順を示すフローチャートである。
【図６】洗浄を終えたときの食器洗浄機の一例を示す略示側断面図である。
【図７】アームノズルの動作説明図である。
【図８】実施の形態２におけるアームノズルの回動に係る制御部の処理手順を示すフローチャートである。
【図９】実施の形態３に係る食器洗浄機の略示斜視図である。
【図１０】食器洗浄機の略示側断面図である。
【図１１】洗浄を終えたときの食器洗浄機の一例を示す略示側断面図である。
【図１２】アームノズルの動作説明図である。
【符号の説明】
【００６０】
１，３０１  洗浄槽
１ａ，３０１ａ  開口部
３  食器かご
７  制御部
１０  底板部
１１  側壁
１２  背面壁
１３  正面壁
１４  天板部
２０，３２０  キャビネット
２１ａ，２１ｂ，３２１ａ，３２１ｂ  扉体
４０，４１，４２  アームノズル
４１ａ  支持筒
４１ｂ  基部
４１ｃ  腕部
４１ｄ  噴射口
５０  洗浄ポンプ
５１  分水機構
５２  噴射ホース
５３  シール部材
８０  ロータ（アクチュエータ）
８１，３８１  第１コイル（アクチュエータ）
８２，３８２  第２コイル（アクチュエータ）
８３  アームノズル駆動部
９３  開閉検出スイッチ（検出手段）
【図１】
2007252733.tif 000003
【図２】
2007252733.tif 000004
【図３】
2007252733.tif 000005
【図４】
2007252733.tif 000006
【図５】
2007252733.tif 000007
【図６】
2007252733.tif 000008
【図７】
2007252733.tif 000009
【図８】
2007252733.tif 000010
【図９】
2007252733.tif 000011
【図１０】
2007252733.tif 000012
【図１１】
2007252733.tif 000013
【図１２】
2007252733.tif 000014